(57)【特許請求の範囲】
【請求項１】
電子機器が初期状態で操作可能な初期機能として予め設定された第１機能に関する操作を案内するための第１案内画像を表示する表示画面と、
ユーザによる操作を受け付ける操作部と、
画面の操作を操作指示として受け付けるタッチパネル機能を備え、前記表示画面よりも表示面積が大きなディスプレイ装置を後付けするためのインタフェースと、
前記操作部により受け付けられた操作指示に応じて前記第１機能を実行する制御部と、
前記第１案内画像を表す画像データと、前記第１機能を実行するためのプログラムと、が予め記憶された第１記憶部と、
を備え、
前記ディスプレイ装置は、前記第１機能とは異なる機能を含む第２機能に関する操作を案内するための第２案内画像を表す画像データと、前記第２機能を実行するためのプログラムと、が予め記憶された、前記第１記憶部とは別の第２記憶部を備え、
前記制御部は、前記インタフェースに、前記ディスプレイ装置が取り付けられていない場合は、前記第１記憶部に記憶されている前記画像データで表される前記第１案内画像を前記表示画面に表示させ、前記操作部により前記操作指示が受け付けられたとき、当該操作指示に応じて前記第１機能を実行する一方、前記インタフェースに、前記ディスプレイ装置が取り付けられている場合は、前記第２記憶部から前記画像データを取得して、当該画像データで表される前記第２案内画像を前記ディスプレイ装置に表示させ、当該ディスプレイ装置により前記操作指示が受け付けられたとき、前記第２記憶部から前記プログラムを取得して、当該プログラムを実行する
ことを特徴とする電子機器。
【請求項２】
前記第２記憶部には、前記第２案内画像を表す画像データが、前記プログラムに対応して予め記憶されており、
前記制御部は、前記プログラムを実行するとき、当該プログラムに対応する前記画像データを前記第２記憶部から取得して、当該画像データで表される前記第２案内画像を前記ディスプレイ装置に表示させる
ことを特徴とする請求項１に記載の電子機器。
【請求項３】
請求項１又は２に記載の電子機器と、
前記ディスプレイ装置と、
を備えることを特徴とする電子機器システム。
【請求項４】
請求項１又は２に記載の電子機器と、
原稿画像の画像データを表す原稿画像データを取得する画像データ取得部と、
前記画像データ取得部により取得された原稿画像データを記録紙に形成する画像形成部と、
を備えることを特徴とする画像形成装置。
【発明の詳細な説明】
【技術分野】
【０００１】
本発明は、電子機器、電子機器システム、及び画像形成装置に関するものである。
【背景技術】
【０００２】
表示画面の表示面積が小さな画像形成装置が存在する。当該画像形成装置は、予め設定された機能に関する操作を案内するための案内画像を、文字画像の形で表示する。
【０００３】
この種の画像形成装置は、予め設定された機能として、例えば、コピー機能及びファクシミリ機能を有する。当該画像形成装置は、例えば、コピー機能を実行させたときには、表示画面に、Ａ４、Ｂ４、Ａ３などの記録紙サイズを表す文字画像を複数配列させる。この状態で、ユーザは、例えば、表示画面の近隣に配置されたカーソルキーを操作して、表示画面上に文字画像の形で配列されている各サイズのうちいずれかを選択する。
【０００４】
その一方で、表示画面の表示面積が大きな画像形成装置は、表示画面にタッチパネル機能を組み込んで、案内画像の中に操作ボタンを表す画像を含めている。例えば、コピー機能を動作させたときには、表示画面には、記録紙サイズを選択するための図形画像を複数配列させる。この状態で、ユーザは、いずれかの図形画像を操作して、各サイズのうちいずれかを選択する。
【０００５】
これに対して、表示画面の表示面積が小さな画像形成装置は、先述のように、文字画像の形で案内画像を表示させ、表示画面の近隣に配置されたカーソルキーの操作を強いているため、表示画面の表示面積が大きな画像形成装置に比べて操作性が悪い。
【０００６】
また、表示画面の表示面積が小さな画像形成装置には、当該装置に予め設定するには適さない機能がある。
【０００７】
例えば、原稿画像を表示画面に表示させるプレビュー機能については、表示画面の表示面積が小さいため、表示画面１画面分の大きさで１ページ分の原稿画像を表示することができない。この場合、原稿画像の視認性を確保することができないため、プレビュー機能を設定することは、表示画面の表示面積が小さな画像形成装置には適してはいない。
【０００８】
ところで、特許文献１に記載された画像形成装置は、操作画面部とは別に準備されたプレビュー画面部を画像形成装置に取り付けたとき、当該画像形成装置が取得した画像データを、プレビュー画面部に表示させるように構成されている。
【先行技術文献】
【特許文献】
【０００９】
【特許文献１】特開２００６−１４２４４号公報
【発明の概要】
【発明が解決しようとする課題】
【００１０】
特許文献１に記載された画像形成装置は、プレビュー画面部を画像形成装置に取り付けたときに、プレビュー機能が実行される。
【００１１】
ところが、上記特許文献１に記載された画像形成装置は、プレビュー画面部を画像形成装置に取り付けたときに、プレビュー機能が実行されるのみであり、プレビュー以外の操作画面部を用いるときの操作性を向上させることはできない。
【００１２】
本発明は、上記の問題を解決するためになされたもので、装置が初期状態で備える表示画面を用いて操作可能な初期機能に、後から新たな機能を追加すること、及び、新たな追加機能のみならず初期機能について、操作性を向上させることができる電子機器、電子機器システム、及び画像形成装置を提供することを目的とする。
【課題を解決するための手段】
【００１３】
本発明の一局面に係る電子機器は、電子機器が初期状態で操作可能な初期機能として予め設定された第１機能に関する操作を案内するための第１案内画像を表示する表示画面と、ユーザによる操作を受け付ける操作部と、画面の操作を操作指示として受け付けるタッチパネル機能を備え、前記表示画面よりも表示面積が大きなディスプレイ装置を後付けするためのインタフェースと、前記操作部により受け付けられた操作指示に応じて前記第１機能を実行する制御部と、前記第１案内画像を表す画像データと、前記第１機能を実行するためのプログラムと、が予め記憶された第１記憶部と、を備え、前記ディスプレイ装置は、前記第１機能とは異なる機能を含む第２機能に関する操作を案内するための第２案内画像を表す画像データと、前記第２機能を実行するためのプログラムと、が予め記憶された、前記第１記憶部とは別の第２記憶部を備え、前記制御部は、前記インタフェースに、前記ディスプレイ装置が取り付けられていない場合は、前記第１記憶部に記憶されている前記画像データで表される前記第１案内画像を前記表示画面に表示させ、前記操作部により前記操作指示が受け付けられたとき、当該操作指示に応じて前記第１機能を実行する一方、前記インタフェースに、前記ディスプレイ装置が取り付けられている場合は、前記第２記憶部から前記画像データを取得して、当該画像データで表される前記第２案内画像を前記ディスプレイ装置に表示させ、当該ディスプレイ装置により前記操作指示が受け付けられたとき、前記第２記憶部から前記プログラムを取得して、当該プログラムを実行することを特徴とする（請求項１）。
【００１４】
ここにおいて、予め設定された第１機能とは、電子機器が初期状態で備える表示画面を用いて操作可能な初期機能をいう。また、第２機能とは、当該第１機能のみならず、ディスプレイ装置を取り付けたときに当該ディスプレイ装置を用いて操作可能な新たな機能を含めた機能をいう。
【００１５】
この構成によれば、電子機器が初期状態で備える表示画面を用いて操作可能な第１機能に関する操作を案内するための第１案内画像を表示する表示画面よりも画像面積が大きなディスプレイ装置を、インタフェースに取り付けたとき、第１機能のみならず、ディスプレイ装置を取り付けたときに当該ディスプレイ装置を用いて操作可能な新たな機能を含めた第２機能に関する操作を案内するための第２案内画像をディスプレイ装置に表示させ、ディスプレイ装置により受け付けられた操作指示に応じて、第２機能を実行する。
【００１６】
これにより、電子機器にディスプレイ装置を取り付けたとき、当該電子機器は、電子機器が初期状態で備える表示画面を用いては操作できない新たな機能が実行可能となる。また、電子機器が初期状態で備える表示画面を用いて操作可能な初期機能や、電子機器が初期状態で備える表示画面を用いては操作できない新たな機能に関する操作が、タッチパネルを操作指示することにより可能となる。
【００１７】
その結果、装置が初期状態で備える表示画面を用いて操作可能な初期機能に、後から新たな機能を追加すること、及び、新たな追加機能のみならず初期機能について、操作性を向上させることができる。
【００１９】
この構成によれば、ディスプレイ装置に表示される第２案内画像は、ディスプレイ装置が備える第２記憶部に予め記憶されている。
【００２０】
これにより、電子機器本体の第１記憶部には、第２案内画像を予め記憶させておく必要がなくなる。その結果、電子機器本体の第１記憶部の記憶容量を節約できる。
【００２２】
この構成によれば、第２機能を実行するためのプログラムが、ディスプレイ装置が備える第２記憶部に予め記憶されているため、電子機器本体の第１記憶部には、プログラムを予め記憶させておく必要がなくなる。その結果、電子機器本体の第１記憶部の記憶容量を節約できる。
【００２３】
上記構成において、前記第２記憶部には、前記第２案内画像を表す画像データが、前記プログラムに対応して予め記憶されており、前記制御部は、前記プログラムを実行するとき、当該プログラムに対応する前記画像データを前記第２記憶部から取得して、当該画像データで表される前記第２案内画像を前記ディスプレイ装置に表示させることが好ましい（請求項２）。
【００２４】
この構成によれば、第２機能を実行するためのプログラムを実行するとき、ディスプレイ装置には、当該プログラムに対応させて、第２機能に関する操作を案内するための第２案内画像をディスプレイ装置に表示させる。
【００２５】
これにより、プログラムに第２機能を実行させるための操作が、容易となる。
【００２６】
また、本発明の他の局面に係る電子機器システムは、請求項１又は２に記載の電子機器と、前記ディスプレイ装置と、を備えることを特徴とする（請求項３）。
【００２７】
この構成によれば、請求項１又は２に記載の電子機器を備えるため、請求項１又は２の効果を奏する電子機器システムを提供することができる。
【００２８】
また、本発明のさらに他の局面に係る画像形成装置は、請求項１又は２に記載の電子機器と、原稿画像の画像データを表す原稿画像データを取得する画像データ取得部と、前記画像データ取得部により取得された原稿画像データを記録紙に形成する画像形成部と、を備えることを特徴とする（請求項４）。
【００２９】
この構成によれば、請求項１又は２に記載の電子機器を備えるため、請求項１又は２の効果を奏する画像形成装置を提供することができる。
【発明の効果】
【００３０】
本発明によれば、電子機器にディスプレイ装置を取り付けたとき、当該電子機器は、電子機器が初期状態で備える表示画面を用いては操作できない新たな機能が実行可能となる。そして、電子機器が初期状態で備える表示画面を用いて操作可能な初期機能や、電子機器が初期状態で備える表示画面を用いては操作できない新たな機能に関する操作が、タッチパネルを操作指示することにより可能となる。
【００３１】
その結果、装置が初期状態で備える表示画面を用いて操作可能な初期機能に、後から新たな機能を追加すること、及び、新たな追加機能のみならず初期機能について、操作性を向上させることができる。
【図面の簡単な説明】
【００３２】
【図１】本発明の一実施形態に係る電子機器システムの外観の一例を示した図である。
【図２】本発明の一実施形態に係る画像形成装置の概略断面図である。
【図３】画像形成装置の機能モジュールの一例を示したブロック図である。
【図４】ユーザインタフェース部の外観の一例を示した図である。
【図５】第２案内画像の一例を示した図である。
【図６】本実施形態に係る電子機器の動作の概要の一例を示したフローチャートである。
【図７】本実施形態に係る電子機器の動作の概要の一例を示したフローチャートである。
【図８】第２案内画像の第２例を示した図である。
【図９】第２案内画像の第３例を示した図である。
【図１０】第２案内画像の第４例を示した図である。
【発明を実施するための形態】
【００３３】
以下、本発明の一実施形態に係る電子機器、電子機器システム、及び画像形成装置について、図面を用いて説明する。図１は、本発明の一実施形態に係る電子機器システムの外観の一例を示した図である。
【００３４】
電子機器システムＳは、画像形成装置Ａを備えている。当該画像形成装置Ａは、ケーブルＣを介してディスプレイ装置Ｄを後付けすることができるよう構成されている。そして、画像形成装置Ａは、当該画像形成装置Ａの前面に、ユーザと画像形成装置ＡとのインタフェースであるユーザインタフェースＩを備えている。
【００３５】
そして、ユーザインタフェースＩは、表示面積が小さな表示画面５と、操作ボタンからなる操作部１８とを備える。ここにおいて、表示画面５は、例えば、キャラクターＬＣＤ（Liquid Crystal Display）から構成されている。また、操作部１８を構成する操作ボタンには、後述するＬＥＤが組み付けられており、当該ＬＥＤが操作ボタンの操作に応じて点灯或いは消灯する。
【００３６】
一方で、ディスプレイ装置Ｄは、表示画面５の表示面積よりも大きな表示画面１０３を備え、画面の操作指示を受け付けるタッチパネル機能を備えている。
【００３７】
そしてまた、画像形成装置Ａとディスプレイ装置Ｄとは、例えば、ＵＳＢ（Universal Serial Bus）の規格に従って接続されており、当該ＵＳＢ規格に従った通信を行う。
【００３８】
図２は、本発明の一実施形態に係る画像形成装置の概略断面図である。尚、画像形成装置Ａには、本発明の一実施形態に係る電子機器が組み込まれている。
【００３９】
画像形成装置Ａは、画像読取部（画像データ取得部）３００と画像形成本体部２２とを備える。画像読取部３００は、原稿給紙部３１０と、スキャナ部２２０と、ＣＩＳ２３１と、画像形成本体部２２の前面に露出するように配置されたユーザインタフェース部Ｉと、後述する反転機構を備えてなる。
【００４０】
原稿給紙部３１０は、ＡＤＦ（Ａｕｔｏｍａｔｉｃ  Ｄｏｃｕｍｅｎｔ  Ｆｅｅｄｅｒ）を備え、原稿トレイ３１１、ピックアップローラ３１２、プラテン３１３、排紙ローラ３１４及び排紙トレイ３１５を有する。原稿トレイ３１１には、読取対象とされる原稿が載置される。原稿トレイ３１１に載置された原稿は、１枚ずつピックアップローラ３１２によって取り込まれ、間隙を介して順次プラテン３１３へ搬送される。プラテン３１３を経由した原稿は、排紙ローラ３１４によって排紙トレイ３１５へ順次排出される。
【００４１】
前記プラテン３１３の周面に対向する位置のうち、原稿の搬送方向において読取位置Ｐより手前の予め定められた位置には、用紙を検出する図略のタイミングセンサが設置されており、該タイミングセンサの出力要求に基づき、前記読取位置Ｐへの原稿の搬送タイミングが図られる。前記タイミングセンサは、例えばフォトインタラプタにより構成される。
【００４２】
スキャナ部２２０は、原稿の画像を光学的に読み取って画像データを生成するものである。スキャナ部２２０は、コンタクトガラス２２１、光源２２２、第１ミラー２２３、第２ミラー２２４、第３ミラー２２５、第１キャリッジ２２６、第２キャリッジ２２７、結像レンズ２２８、ＣＣＤ（Ｃｈａｒｇｅｄ  Ｃｏｕｐｌｅｄ  Ｄｅｖｉｃｅ）２２９を備える。
【００４３】
このスキャナ部２２０は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２０は、光源２２２として冷陰極蛍光管等の白色蛍光ランプを用いて構成されていることから、光源として３色ＬＥＤ等が用いられる後述のＣＩＳ２３１よりも色再現性に優れる。
【００４４】
コンタクトガラス２２１には、前記原稿給紙部３１０によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００４５】
画像読取部３００の原稿読取方式として、コンタクトガラス２２１上に載置された原稿をスキャナ部２２０が読み取るフラットベッド読取モードと、原稿を原稿給紙部３１０（ＡＤＦ）によって取り込み、その搬送途中で原稿を読み取るＡＤＦ読取モードがある。
【００４６】
フラットベッド読取モードでは、光源２２２がコンタクトガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。
【００４７】
ＣＣＤ２２９は一次元のイメージセンサであり、１ライン分の原稿の画像データを重複して処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００４８】
ＡＤＦ読取モードでは、原稿給紙部３１０が原稿トレイ３１１に載置された原稿をピックアップローラ３１２によって１枚ずつ取り込む。このとき、第１キャリッジ２２６及び第２キャリッジ２２７は、読取窓２３０の下方に位置する予め定められた読取位置Ｐに配置される。
【００４９】
原稿給紙部３１０による原稿搬送で、原稿がプラテン３１３から排紙トレイ３１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部３１０によって搬送され、次のラインが読み取られる。
【００５０】
更に、原稿給紙部３１０は、切換ガイド３１６、反転ローラ３１７及び反転搬送路３１８を備えた反転機構を有する。この反転機構が、１回目のＡＤＦ読み取りによって表面が読み取られた原稿を表裏反転させて読取窓２３０に再搬送することで、再度ＣＣＤ２２９によって裏面の読み取りが行われる。
【００５１】
この反転機構は、両面読み取り時にのみ動作し、片面読み取り時は動作しない。片面読み取り時及び両面読み取り時において裏面の読み取り後、切換ガイド３１６は上側に切り替えられ、プラテン３１３を経た原稿は、排紙ローラ３１４によって排紙トレイ３１５に排紙される。
【００５２】
両面読み取り時における表面読み取り後、切換ガイド３１６は下側に切り替えられ、プラテン３１３を経た原稿は反転ローラ３１７によって反転搬送路３１８へ搬送される。その後、切換ガイド３１６は上側へ切り替わり、反転ローラ３１７が逆回転して原稿をプラテン３１３へ再給紙する。以下、反転機構を用いて原稿の両面を読み取らせるモードを両面反転読取モードと表記する。
【００５３】
更に、本実施形態の画像読取部３００は、ＡＤＦ読取モード時において、前述したように原稿の搬送途中でＣＣＤ２２９（スキャナ部２２０）によって原稿の表面の読み取りを行わせると略重複して（略並行して）、ＣＩＳ２３１によって原稿の裏面の読み取りを行わせることが可能である。この場合、原稿トレイ３１１から原稿給紙部３１０により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００５４】
このようにＣＣＤ２２９とＣＩＳ２３１を用いることで、原稿給紙部３１０による原稿トレイ３１１から排紙トレイ３１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００５５】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。なお、本実施形態における画像形成装置Ａは、両面同時読取モードに初期設定されており、前記読取モードのモード設定操作が何も行われないまま画像形成指示が入力された場合には、両面同時読取モードで原稿の画像読取動作が行われるようになっている。
【００５６】
画像処理装置Ａは、画像形成本体部２２と、画像形成本体部２２の左方に配設されたスタックトレイ６とを有している。画像形成本体部２２は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、画像形成本体部２２は、給紙トレイ４７１と該給紙トレイ４７１に載置された原稿を１枚ずつ画像形成部４０に向けて繰り出す繰り出しローラ４７２とを備える。
【００５７】
画像形成部４０は、感光体ドラム４３の表面から残留電荷を除電する除電装置４２１と、除電後の感光体ドラム４３の表面を帯電させる帯電装置４２２と、スキャナ部２２０で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００５８】
なお、シアン、マゼンタ、イエロー及びブラックの各色の供給は、図略のトナーカートリッジから行われる。また、画像形成部４０を通過した記録紙をスタックトレイ６又は排出トレイ４８まで搬送する搬送ローラ４６３，４６４等が設けられている。
【００５９】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００６０】
図３は、画像形成装置Ａの機能モジュールの一例を示したブロック図である。
【００６１】
画像形成装置Ａは、本発明の一実施形態に係る電子機器１を備える。当該電子機器１は、ＣＰＵ（Central Processing Unit；制御部）１０と、文字画像を表示するキャラクターＬＣＤ（表示画面）５と、キャラクターＬＣＤ５を制御するＬＣＤコントローラ１１と、操作ボタンからなる操作部１８と、操作ボタンに組み込まれ当該操作ボタンが操作されたときに点灯或いは消灯するＬＥＤ２１と、操作部１８及びＬＥＤ２１を制御する操作部コントローラ１２と、ＲＯＭ（Read Only Memory）１３と、ＲＡＭ（Random Access Memory）１４と、ＵＳＢ制御部（インタフェース）２３と、を備える。
【００６２】
かかる電子機器１において、キャクラターＬＣＤ５及び操作部１８は、図１に示すように、画像形成装置Ａから取り外すことができないように、当該画像形成装置Ａの前面に予め固定されている。
【００６３】
また、ＲＯＭ１３には、画像形成装置Ａが動作するために必要な各種のプログラムが予め記憶されている。
【００６４】
例えば、ＲＯＭ１３には、画像形成装置Ａが、当該画像形成装置Ａが初期状態で備える表示画面５（図４参照）を用いて操作可能な初期機能である第１機能、例えば、コピー機能、ファクシミリ機能、ＰＣ転送機能、及び管理機能を実行するためのプログラムが予め記憶されている。また、ＲＯＭ１３には、第１機能に関する操作を案内するための第１案内画像（後述）を表す画像データが予め記憶されている。
【００６５】
ＲＡＭ１４は、画像形成装置Ａが動作するときの作業領域として機能する。また、ＲＡＭ１４は、画像形成装置Ａが取得した画像データを記憶する。
【００６６】
ＵＳＢ制御部２３は、画像形成装置Ａにディスプレイ装置Ｄを後付けするために配置されており、ＵＳＢ規格に従って、ディスプレイ装置Ｄと通信を行うことにより、当該ディスプレイ装置Ｄの制御を行う。
【００６７】
そして、ディスプレイ装置Ｄは、先述のキャラクターＬＣＤ５よりも表示面積が大きな表示画面１０３を備えるディスプレイ装置本体１００と、表示画面１０３に組み付けられ、当該表示画面１０３における操作位置をディスプレイ装置本体１００に通知するタッチパネル１０１と、ハードディスクドライブ（記憶部）１０２と、ＵＳＢ制御部２３との間のインタフェースであるＵＳＢインタフェース１０４と、を備える。
【００６８】
ハードディスクドライブ１０２には、第１機能である、コピー機能、ファクシミリ機能、管理機能、及びＰＣ転送機能を実行するためのプログラムの他に、画像形成装置Ａが初期状態で備える表示画面５（図４参照）を用いては操作できない機能であるプレビュー機能を実行するためのプログラムが予め記憶されている。
【００６９】
また、ハードディスクドライブ１０２には、第１機能である、コピー機能、ファクシミリ機能、管理機能、及びＰＣ転送機能に関する操作を案内するための画像や、画像形成装置Ａが初期状態で備える表示画面５（図４参照）を用いては操作できない機能であるプレビュー機能に関する操作を案内するための画像を表す画像データが、第２案内画像を表す画像データとして、各プログラムに対応して予め記憶されている。
【００７０】
そして、ＵＳＢインタフェース１０４は、ＵＳＢ制御部２３からディスプレイ装置Ｄに向けて出力された信号或いはデータを、ディスプレイ装置本体１００、タッチパネル１０１、及びハードディスクドライブ１０２のいずれかに振り分ける。また、ＵＳＢインタフェース１０４は、ディスプレイ装置本体１００、タッチパネル１０１、及びハードディスクドライブ１０２のいずれかから出力された信号或いはデータを、ＵＳＢ制御部２３に向けて出力する。
【００７１】
また、画像形成装置Ａは、スキャナ部２２０と、スキャナ部２２０とＣＰＵ１０との間のインタフェースであるスキャナ部インタフェース１５と、画像処理部１６と、エンジン部１７と、エンジン部１７とＣＰＵ１０との間のインタフェースであるエンジン部インタフェース１８と、外部の通信機器ＰＣ１を含む、インターネット等のネットワークＮと、エンジン部１７との間のインタフェースであるネットワークインタフェース１９と、通信機器ＰＣ２とエンジン部１７との間のインタフェースであるＰＣインタフェース２０と、を備える。
【００７２】
スキャナ部２２０は、原稿を読み取り当該原稿の画像データを取得する。画像処理部１６は、スキャナ部２２０によって取得された画像データに予め定められた処理を施し、処理した画像データをエンジン部１７に向けて出力する。
【００７３】
エンジン部１７は、画像処理部１６によって処理された画像データを受け取って、当該画像データを画像形成部４０によって記録紙に形成させたり、当該画像データをネットワークインタフェース１９によって通信機器ＰＣ１に向けて出力させる。或いは、エンジン部１７は、画像処理部１６によって処理された画像データを、ＰＣインタフェース２０によって通信機器ＰＣ２に向けて出力させる。
【００７４】
ここにおいて、エンジン部１７が、ネットワークインタフェース１９によって画像データを通信機器ＰＣ１に向けて出力させる機能、及び、エンジン部１７が、ＰＣインタフェース２０によって画像データを通信機器ＰＣ２に向けて出力させる機能が、先述のＰＣ転送機能である。
【００７５】
図４は、ユーザインタフェース部Ｉの外観の一例を示した図である。
【００７６】
ユーザインタフェース部Ｉは、表示画面５の他、操作ボタン１８Ａ〜１８Ｊを含む操作部１８を備える。
【００７７】
表示画面５には、第１機能に関する操作を案内するための第１案内画像が表示される。第１案内画像の一例としては、図４に示すような、コピー機能に関する設定操作を案内するための画像が挙げられる。
【００７８】
図４に示すように、表示画面５には、コピー機能に関する設定操作を案内するための画像として、画像データが形成されるべき記録紙サイズＡ４、Ａ３、Ｂ４、・・・を表す文字画像と、画像データを形成する際の濃度を表す文字画像と、画像データが形成されるべき部数を表す文字画像と、を含む画像が表示されている。
【００７９】
そして、表示画面５には、画像データが形成されるべき記録紙サイズＡ４、Ａ３、Ｂ４、・・・を表す文字画像のうち、現在選択されている文字画像を囲むように、四角形のカーソル画像５０が表示されている。
【００８０】
ユーザは、かかるカーソル画像５０を紙面上下左右方向に移動させて、画像データが形成されるべき記録紙サイズを選択する。尚、濃度及び部数を表す数字については、数字キー群をなす操作ボタン１８Ｆを操作して入力する。
【００８１】
操作ボタン１８Ａ〜１８Ｊのうち、操作ボタン１８Ａは、コピー機能を実行するために操作される。操作ボタン１８Ｂは、ファクシミリ機能及びＰＣ転送機能を実行するために操作される。操作ボタン１８Ｃは、ＲＡＭ１４に記憶されている画像データを管理する管理機能を実行するために操作される。
【００８２】
操作ボタン１８Ｄは、カーソルキーを構成しており、当該カーソルキーを操作すれば、カーソル画像５０が紙面左方向、紙面右方向、紙面上方向、及び紙面下方向に移動する。
【００８３】
操作ボタン１８Ｅは、操作ボタン１８Ｄの操作によって移動したカーソル画像５０の位置を確定させるために操作されるボタンである。
【００８４】
操作ボタン１８Ｆは、複数まとまった状態で数字キー群を構成している。この数字キー群は、例えば、画像形成装置Ａにコピー機能を動作させる際はコピー枚数を、ファクシミリ機能を動作させる際は送信先のファクシミリ番号等を入力するためのものである。
【００８５】
また、操作ボタン１８Ｆは、コピーする際の濃度、部数などの数字を入力するためのものでもある。
【００８６】
操作ボタン１８Ｇは、スタートボタンを構成しており、コピー機能、管理機能、及び、ファクシミリ機能のいずれかの実行を指示するために操作される。
【００８７】
リセットボタン１８Ｈは、カーソルキーである操作ボタン１８Ｄや、数字キー群を構成する操作ボタン１８Ｆの操作によりなされた設定を、デフォルトの設定に戻すために操作される。
【００８８】
操作ボタン１８Ｉは、ストップボタンを構成しており、実行されている機能の停止、入力操作の取り消しを行うボタンである。操作ボタン１８Ｊは電源スイッチを構成している。
【００８９】
以上のように、ユーザインタフェースＩの表示画面５には、第１案内画像が文字画像の形で表示される。
【００９０】
その一方で、ディスプレイ装置Ｄの表示画面１０３には、第２案内画像が、以下の形で表示される。
【００９１】
図５は、第２案内画像の一例を示した図である。第２案内画像の一例としては、ディスプレイ装置Ｄを画像形成装置Ａに取り付けたときにディスプレイ装置Ｄの表示画面１０３に表示されるメニュー画像１０３（１）が挙げられる。
【００９２】
メニュー画像１０３（１）は、コピー機能を動作させるための操作ボタン２００を表す画像、ファクシミリ機能を動作させるための操作ボタン２０１を表す画像、及び、管理機能を動作させるための操作ボタン２０２を表す画像が含まれている。
【００９３】
そして、操作ボタン２００、２０１、及び２０２のいずれかが、ユーザによってタッチされると、タッチされた操作ボタンで表される機能に関する操作を案内するための画像が、メニュー画像と同様に第２案内画像として、ディスプレイ装置Ｄの表示画面１０３に表示される。
【００９４】
例えば、コピー機能を動作させるための操作ボタン２００を表す画像が、ユーザによってタッチされると、コピー機能に関する操作を案内するための画像が、第２案内画像として表示される。
【００９５】
以上の構成の電子機器の動作について、以下に説明する。図６及び７は、本実施形態に係る電子機器の動作の概要の一例を示したフローチャートである。そして、図８は、第２案内画像の第２例を示した図であり、図９は、第２案内画像の第３例を示した図であり、図１０は、第２案内画像の第４例を示した図である。
【００９６】
電子機器１において、電源スイッチを構成する操作ボタン１８Ｊが操作されて、電源が投入されたとき（ステップＳ１）、ＣＰＵ１０は、電子機器１、つまり、画像形成装置Ａにディスプレイ装置Ｄが取り付けられているか否かを判断する（ステップＳ２）。
【００９７】
画像形成装置Ａにディスプレイ装置Ｄが取り付けられていないときには（ステップＳ２のＮＯ）、ＣＰＵ１０は、キャラクターＬＣＤ５に、コピー機能に関する操作を案内する画像（図４参照）を、第１案内画像として表示させる（ステップＳ３）。
【００９８】
そして、操作ボタン１８Ｂ及び１８Ｃの操作により、コピー機能以外の機能、つまり、ファクシミリ機能、ＰＣ転送機能、及び管理機能が選択されないときには（ステップＳ４のＮＯ）、電子機器１は、コピー機能に関する設定を受け付けて（ステップＳ５）、当該設定に基づいてコピー機能を実行する（ステップＳ６）。
【００９９】
その一方で、操作ボタン１８Ｂ及び１８Ｃの操作により、コピー機能以外の機能が選択されたときには（ステップＳ４のＹＥＳ）、電子機器１は、選択された機能に関する操作を案内する画像を、第１案内画像として、キャラクターＬＣＤ５に表示させる（ステップＳ７）。
【０１００】
そして、電子機器１は、選択された機能について、操作ボタンの操作による設定を受け付けて（ステップＳ８）、当該設定に基づいて、選択された機能を実行する（ステップＳ９）。
【０１０１】
その一方で、画像形成装置Ａにディスプレイ装置Ｄが取り付けられているときには（ステップＳ２のＹＥＳ）、ＣＰＵ１０は、例えば、図７のフローチャートで示す処理を行う、すなわち、ＣＰＵ１０は、ディスプレイ装置Ｄのハードディスクドライブ１０２から、メニュー画像１０３（１）（図５参照）を表す画像データを取得して、当該メニュー画像１０３（１）を、ディスプレイ装置Ｄの表示画面１０３に表示させる（ステップＳ１０）。
【０１０２】
そして、メニュー画像１０３（１）が表示された表示画面１０３におけるユーザの操作指示によって、コピー機能、ファクシミリ機能、及び管理機能のいずれかが選択されたとき（ステップＳ１１のＹＥＳ）、選択された機能を実行するためのプログラムをハードディスクドライブ１０２から取得して当該プログラムを実行する（ステップＳ１２）。
【０１０３】
そして、ＣＰＵ１０は、当該プログラムに対応する画像、つまり、選択された機能に関する操作を案内するための画像を表す画像データを、ディスプレイ装置Ｄのハードディスクドライブ１０２から取得して、当該画像を第２案内画像として、ディスプレイ装置Ｄの表示画面１０３に表示させる（ステップＳ１３）。
【０１０４】
そして、電子機器１は、選択された機能に関する操作を案内するための画像において、ユーザの指示操作を受け付けて（ステップＳ１４）、当該機能を実行し（ステップＳ１５）、当該機能の実行が終了したときステップＳ１０に戻る。
【０１０５】
以下、ステップＳ１４及びＳ１５について、図８〜図１０を用いて説明する。
【０１０６】
コピー機能に関する操作を案内するための画像の一例としては、図８に示すような、枠消しの設定操作を案内する画像１０３（２）が挙げられる。当該画像１０３（２）では、後述する各種の操作ボタンの操作を設定操作として受け付けて（ステップＳ１４）、当該設定操作に係る設定をＲＡＭ１４に一時的に記憶させる。
【０１０７】
当該画像１０３（２）には、シート枠消しボタン２０３を表す画像、ブック枠消しボタン２０４を表す画像、及び個別枠消しボタン２０５を表す画像が含まれている。
【０１０８】
ここにおいて、シート枠消しボタン２０３は、シート原稿の複写時に当該シート原稿のまわりにできる黒い枠を消すためのボタンである。
【０１０９】
また、ブック枠消しボタン２０４は、分厚い本などの被複写物の複写時に当該被複写物のまわりや中央部の黒い枠を消すためのボタンである。そして、ブック枠消しボタン２０４が操作されたときには、被複写物のまわりと中央部とについて枠を消す範囲を設定するための枠消し範囲設定画像２０４（１）が、ディスプレイ装置Ｄのハードディスクドライブ１０２から取得され、表示される。
【０１１０】
また、個別枠消しボタン２０５は、被複写物の上下左右の枠消し幅を個別に設定するためのボタンである。さらにまた、ボタン２０６は、枠消し幅を設定しないために操作されるボタンである。
【０１１１】
枠消し範囲設定画像２０４（１）には、被複写物のまわりの枠消し幅を設定するための外枠消し幅設定画像２０４（１１）と、被複写物の中央部の枠消し幅を設定するための中枠消し幅設定画像２０４（１２）とが含まれている。
【０１１２】
外枠消し幅設定画像２０４（１１）は、消し幅を表す文字画像２０４Ａを含んでおり、当該文字画像２０４Ａで表される消し幅は、マイナスボタン２０４Ｂを表す画像を操作することにより減少し、プラスボタン２０４Ｃを表す画像を操作することにより増加する。消し幅は、テンキー２０４Ｄを表す画像を操作することにより、数値として直接入力される。
【０１１３】
中枠消し幅設定画像２０４（１２）は、外枠消し幅設定画像２０４（１１）と同様に、消し幅を表す文字画像２０４Ｅを含んでおり、当該文字画像２０４Ｅで表される消し幅は、マイナスボタン２０４Ｆを表す画像を操作することにより減少し、プラスボタン２０４Ｇを表す画像を操作することにより増加する。消し幅は、テンキー２０４Ｈを表す画像を操作することにより、数値として直接入力される。
【０１１４】
電子機器１は、以上の設定操作に係る設定をＲＡＭ１４に一時的に記憶させておく。そして、電子機器１は、ＯＫボタン２０５を表す画像が操作されたとき、ＲＡＭ１４に記憶された設定で、被複写物の複写を行う（ステップＳ１５）。
【０１１５】
そしてまた、電子機器１は、プレビューボタン２０７を表す画像の操作を、画像１０３（２）における指示操作として受け付けて（ステップＳ１４）、プレビュー機能を実行するためのプログラムを、ディスプレイ装置Ｄのハードディスクドライブ１０２から取得して、当該プログラムに基づいてプレビュー機能を実行する（ステップＳ１５）。
【０１１６】
この場合、電子機器１は、取得した当該プログラムに対応する画像、例えばプレビュー機能に関する操作を案内するため画像１０３（３）（図９参照）を表す画像データを、ディスプレイ装置Ｄのハードディスクドライブ１０２から取得して、当該画像１０３（３）をディスプレイ装置Ｄの表示画面１０３に表示させる。
【０１１７】
図９に示される画像１０３（３）には、電子機器１が取得した画像データ、例えば、画像１０３（２）に含まれている、ＯＫボタン２０８を表す画像が操作されたときに、スキャナ部２２０によって取得した原稿の画像データで表される画像２０９が含まれている。
【０１１８】
そして、当該画像１０３（３）には、縮小ボタン２１０を表す画像と、拡大ボタン２１１を表す画像とが含まれている。ここにおいて、縮小ボタン２１０を表す画像が操作されたときには、画像２０９が上下左右等倍率で縮小し、拡大ボタン２１１を表す画像が操作されたときには、画像２０９が上下左右等倍率で拡大する。
【０１１９】
そしてまた、当該画像１０３（３）には、カーソルキー２１２を表す画像が含まれている。当該カーソルキー２１２は、画像２０９が当該画像２０９の表示領域ＡＲを超える大きさに拡大されたとき、当該画像２０９を表示領域ＡＲにおいて上下左右に移動させるために操作されるものである。
【０１２０】
また、管理機能に関する操作を案内するための画像の一例としては、図１０に示される画像１０３（４）が挙げられる。
【０１２１】
画像１０３（４）には、ディスプレイ装置Ｄと共にＵＳＢ制御部２３に接続された図示しない外部メモリ（ＵＳＢメモリ）に記憶されている画像データを管理するためのタブＴ１を表す画像、ディスプレイ装置Ｄのハードディスクドライブ１０２に記憶されているジョブボックスやユーザーボックスに記憶されている画像データを管理するためのタブＴ２、Ｔ３を表す画像が表示されている。
【０１２２】
そして、タブＴ１を表す画像が操作されたとき、電子機器１は、外部メモリ（ＵＳＢメモリ）から取得した画像データに基づいて、外部メモリ（ＵＳＢメモリ）に記憶されている画像データの画像リスト２１４を表す画像を、表示画面１０３に表示させる。
【０１２３】
そしてまた、電子機器１は、タブＴ１を表す画像が操作されたとき、画像リスト２１４中の画像データを表示画面１０３に表示させるためのボタン２１５を表す画像を表示させる。
【０１２４】
外部メモリ情報ボタン２１６が操作されたとき、電子機器１は、 ＵＳＢ制御部２３に接続された外部メモリ（ＵＳＢメモリ）のメモリの容量、残り容量を表す画像を、表示画面１０３に表示させる。
【０１２５】
メモリ取り外しボタン２１７が操作されたとき、電子機器１は、ＵＳＢ制御部２３に接続された外部メモリ（ＵＳＢメモリ）を安全に取り外すことができることを表す画像を、表示画面に表示させる。
【０１２６】
文書保存ボタン２１６が操作されたとき、電子機器１は、スキャナ部２２０で画像データを読み取り、読み取られた画像データが外部メモリ、ジョブボックス、あるいは、ユーザボックスに保存される。
【０１２７】
電子機器１は、先述のタブＴ１〜Ｔ３、及び操作ボタン２１５〜２１８を表す画像の操作を指示操作として受け付けて（ステップＳ１４）、管理機能を実行して（ステップＳ１５）、例えば、外部メモリ（ＵＳＢメモリ）やハードディスクドライブ１０２に記憶されている画像データを表示画面１０３に表示させたり、ハードディスクドライブ１０２に記憶されている画像データをＲＡＭ１４に記憶させる。
【０１２８】
以上のように、電子機器１にディスプレイ装置Ｄが取り付けられていないとき、当該電子機器１は、第１機能、例えば、コピー機能に関する操作を案内するための画像を、第１案内画像として、電子機器１が初期状態で備える表示画面５に表示させる（図４参照）。
【０１２９】
一方で、電子機器１にディスプレイ装置Ｄが取り付けられたとき、当該電子機器１は、第１機能、例えば、コピー機能に関する操作を案内するための画像を、第２案内画像として、ディスプレイ装置Ｄに表示させる（図８参照）。
【０１３０】
これにより、表示面積が小さな表示画面を参照しながら当該表示画面の周辺の操作ボタンを操作することをユーザに強いる第１機能、例えば、コピー機能に関する操作が、表示面積が大きな表示画面をタッチするだけで可能となる。
【０１３１】
その結果、表示画面の表示面積が小さな下位モデルでも、表示画面の表示面積が大きな上位モデルと同様に、操作性が良く、かつ使い勝手のよいユーザインタフェースを提供することができる。
【０１３２】
また、電子機器１にディスプレイ装置Ｄが取り付けられたとき、当該電子機器１は、電子機器１が初期状態で備える表示画面５を用いては操作できない機能、例えば、プレビュー機能に関する操作を案内するための画像を、第２案内画像として、ディスプレイ装置Ｄに表示させる（図９参照）。
【０１３３】
これにより、表示画面の表示面積が小さいことを理由して実現できなかった上位モデルの機能を、下位モデルにおいても実現可能となる。
【符号の説明】
【０１３４】
Ｓ    電子機器システム
Ａ    画像形成装置
Ｄ    ディスプレイ装置
１    電子機器
１０    ＣＰＵ
５    キャラクターＬＣＤ
１８    操作部
１００    ディスプレイ装置本体
１０１    タッチパネル
１０２    ハードディスクドライブ
１０３    表示画面
３００    画像読取部
【図１】
0005622645.tif 000002
【図２】
0005622645.tif 000003
【図３】
0005622645.tif 000004
【図４】
0005622645.tif 000005
【図５】
0005622645.tif 000006
【図６】
0005622645.tif 000007
【図７】
0005622645.tif 000008
【図８】
0005622645.tif 000009
【図９】
0005622645.tif 000010
【図１０】
0005622645.tif 000011